(57)【要約】【課題】照明設計のための照度計算システムにおいて、平均照度を求めるときに、入力ミス、測定ミスを排除し、作業を効率的におこなうことができるようにする。【解決手段】ＣＡＤプログラムにより、照度マップ図とそれに対応する照度マップ図データを作成し、ＣＡＤデータベースに保存しておき、その照度マップ図データを、照度計算データベースにインポートする。そして、照度計算プログラムを実行することにより、照度計算の対象となる照度マップ図データの部屋の間口、奥行に基づき、室指数を演算する。次に、演算された室指数に基づき、照明器具の型式に対応する照明率を求め、照明器具に関するデータと照明率に基づき、照度計算の対象となる部屋の計算照度を求める。【選択図】図４
2012098877.tif 000002
【特許請求の範囲】
【請求項１】
コンピュータにより実行される照度計算システムにおいて、
前記コンピュータは、ＣＰＵと、メモリとを有し、
前記メモリは、ＣＡＤプログラムにより作成した照度計算の対象となる室の照度マップ図に関する照度マップ図データと、照度計算の対象となる室の照明器具に関するデータとを保持し、
前記照度マップ図データは、各部屋の間口、奥行を含み、
前記ＣＰＵは、前記照度マップ図データの照度計算の対象となる部屋の間口、奥行に基づき、室指数を演算し、
前記ＣＰＵは、演算された前記室指数に基づき、照明器具の型式に対応する照明率を求め、
前記ＣＰＵは、前記照明器具に関するデータと前記照明率に基づき、照度計算の対象となる部屋の計算照度を求めることを特徴とする照度計算システム。
【請求項２】
前記照度マップ図データは、さらに、各部屋の設計照度を含むことを特徴とする請求項１記載の照度計算システム。
【請求項３】
コンピュータにより実行される照度計算方法において、
前記コンピュータは、ＣＰＵと、メモリと、補助記憶装置とを有し、
前記メモリは、ＣＡＤプログラムと照度計算プログラムとを保持し、
前記補助記憶装置は、前記ＣＡＤプログラムがアクセスするＣＡＤデータベースと、前記照度計算プログラムがアクセスし、照明器具に関するデータを含む照度計算データベースとを保持し、
前記ＣＰＵが前記ＣＡＤプログラムを実行することにより、照度マップ図を作成するステップと、
前記ＣＰＵが前記ＣＡＤプログラムを実行することにより、前記照度マップ図に関するを前記照度マップ図データを、前記照度計算データベースに作成するステップと、
前記ＣＰＵが前記照度計算プログラムを実行することにより、前記前記照度計算データベースの中の前記照度マップ図データを、前記照度計算データベースにインポートデータとして取り込むステップと、
前記ＣＰＵが前記照度計算プログラムを実行することにより、前記インポートデータとして取り込まれた前記照度マップ図データの部屋の間口、奥行に基づき、室指数を演算するステップと、
前記ＣＰＵが前記照度計算プログラムを実行することにより、演算された前記室指数に基づき、照明器具の型式に対応する照明率を求めるステップと、
前記ＣＰＵが前記照度計算プログラムを実行することにより、前記照明器具に関するデータと前記照明率に基づき、照度計算の対象となる部屋の計算照度を求めるステップとを有することを特徴とする照度計算方法。
【発明の詳細な説明】
【技術分野】
【０００１】
本発明は、照度計算システム、および、照度計算方法に係り、特に、原子力プラントのような建屋の構造が複雑であり、そのために照度計算が複雑な建物に用いて好適な照度計算システム、および、照度計算方法に関する。
【背景技術】
【０００２】
従来、照明設計のためにコンピュータなどの情報処理機器により、照度計算をおこなうシステムが知られている。例えば、特許文献１には、建物内の床面積、目標照度、および照明器具の全光束に基づいて、照明器具の台数と照明器具の配置を決定し、建物の天井面、床面、および壁面での照度を算出するシステムが開示されている。
【０００３】
一方、室内照度を求めるために、照明率という概念により、平均照度を求める手法が広く知られている。照明率は、通常、照明器具メーカから提供される照明率表というテーブルにより、室指数、天井、壁、床での各々の反射率をパラメータとして求める。
【０００４】
このとき、室指数Ｋｒは、以下の（式１）で求められる。
【０００５】
Ｋｒ＝（ＸＹ）／（Ｘ＋Ｙ）Ｈ    …    （式１）
ここで、Ｘは、室の間口、Ｙは、室の奥行、Ｈは、作業面から光源までの高さである。
【０００６】
このようにして、室内照度を求める手法は、例えば、非特許文献１に記載がある。
【先行技術文献】
【特許文献】
【０００７】
【特許文献１】特開２００９−９４７５号公報
【非特許文献】
【０００８】
【非特許文献１】「電気工学ハンドブック第６版」、電気学会編、２００１年２月、ｐ．１９１３〜１９１６
【発明の概要】
【発明が解決しようとする課題】
【０００９】
上述のように、平均照度を求めるためには、各建物内の部屋の間口と、奥行が必要である。
以下、図１６を用いて従来技術による間口と奥行の求め方について説明する。
図１６は、従来技術による照度マップ図から部屋の間口と奥行を求める過程を説明する図である。
【００１０】
図１６（ａ）に示される照度マップ図の建屋の部屋についての間口と奥行を求める場合について考える。照度マップ図は、照明設計の対象となる建屋の図に、必要な照度を書き込んだ図である。この場合は、照度のデータを持っている必要はなく、建屋の図面として利用する。
【００１１】
対象となる部屋は、複雑な六角形形状をしているが、図１６（ｂ）に示されるように、これを二つの長方形Ｒａ，Ｒｂに分割し、長方形Ｒａの面積をＳａ、長方形Ｒｂの面積をＳｂとする。面積Ｓａ，Ｓｂを求めるときには、照度マップ図に定規を当てて、長方形の各辺（Ｘａ，Ｙａ），（Ｘｂ，Ｙｂ）を測定する。そして、以下の（式２）、（式３）により、それぞれの面積を求める。
【００１２】
Ｓａ＝Ｘａ×Ｙａ    …    （式２）
Ｓｂ＝Ｘｂ×Ｙｂ    …    （式３）
部屋の面積Ｓは、Ｓａ＋Ｓｂとなる。そこで、部屋の間口Ｘを定規で採寸し、図１６（ｃ）に示されるように、以下の（式４）により、奥行Ｙを求める。
【００１３】
Ｙ＝Ｓ／Ｘ          …    （式４）
ここで、間口は、部屋の長辺にあたる部分にしている。部屋の形状が複雑になったときには、間口をどのようにとるかは、照明設計者のノウハウによる所が大きい。
【００１４】
ところが、原子力発電所の建屋は、オフィスなどとは異なり、多くの小部屋に仕切られており、かつ、それらの小部屋の形状は複雑である。そのような場合に、上述のように面積、間口を、照度マップ図に定規を当てて採寸するという手作業をおこなっていたのでは、手間が非常に煩雑になり、入力ミス、測定ミスが発生するという問題点があった。
【００１５】
本発明は、上記問題点を解決するためになされたもので、その目的は、照明設計のための照度計算システムにおいて、平均照度を求めるときに、入力ミス、測定ミスを排除し、作業を効率的におこなうことができる照度計算システムを提供することにある。
【課題を解決するための手段】
【００１６】
本発明の照度計算システムでは、ＣＡＤプログラムにより、ＣＡＤデータベース中に、照度マップ図とそれに対応する照度マップ図データを作成し、ＣＡＤデータベースに保存しておく。
【００１７】
次に、照度計算プログラムのインポートモジュールを実行することにより、照度マップ図データを照度データベースにインポートする。
【００１８】
そして、照度計算プログラムを実行することにより、照度計算の対象となる照度マップ図データの部屋の間口、奥行に基づき、室指数を演算する。
【００１９】
次に、演算された室指数に基づき、照明器具の型式に対応する照明率を求め、照明器具に関するデータと照明率に基づき、照度計算の対象となる部屋の計算照度を求める。
【発明の効果】
【００２０】
本発明によれば、照明設計のための照度計算システムにおいて、平均照度を求めるときに、入力ミス、測定ミスを排除し、作業を効率的におこなうことができる照度計算システムを提供することができる。
【図面の簡単な説明】
【００２１】
【図１】本発明の一実施形態に係る照度計算システムの構成図である。
【図２】ＣＡＤプログラム、ＣＡＤデータベースと照度計算プログラム、照度計算データベースの関係を説明する図である。
【図３】照度マップ図の一例を示す図である。
【図４】各室の照度を求める処理を示すフローチャートである。
【図５】本発明の一実施形態による照度マップ図から部屋の間口と奥行を求める過程を説明する図である。
【図６】照度計算システムのメイン画面を示す図である。
【図７】照度マップ図データインポートダイアローグを示す図である。
【図８】照度計算編集画面を示す図である。
【図９】照明率編集画面を示す図である。
【図１０】建屋編集画面を示す図である。
【図１１】フロア編集画面を示す図である。
【図１２】設定値編集画面を示す図である。
【図１３】光束値編集画面を示す図である。
【図１４】照度計算書表示画面を示す図である。
【図１５】省エネ計算書表示画面を示す図である。
【図１６】従来技術による照度マップ図から部屋の間口と奥行を求める過程を説明する図である。
【発明を実施するための形態】
【００２２】
以下、本発明の一実施形態を、図１ないし図１５を用いて説明する。
図１は、本発明の一実施形態に係る照度計算システムの構成図である。
図２は、ＣＡＤプログラム、ＣＡＤデータベースと照度計算プログラム、照度計算データベースの関係を説明する図である。
【００２３】
本実施形態に係る照度計算システムは、図１に示されるように、パーソナルコンピュータ１００上に照度計算プログラム２００と、ＣＡＤプログラム２２０をインストールして実行する形態である。なお、本実施形態では、一台のパーソナルコンピュータで、照度計算プログラム２００、ＣＡＤプログラム２２０が実行されることとしたが、別々のパーソナルコンピュータで実行される形態であってもよい。
【００２４】
また、本実施形態で採り上げる例としては、原子力発電所の建屋における各部屋の照度計算をする場合とする。
【００２５】
パーソナルコンピュータ１００は、ＣＰＵ（Central Processing Unit）１０１、メモリ１０２、ネットワークＩ／Ｆ１０３、グラフィックＩ／Ｆ１０４、入出力Ｉ／Ｆ１０５、補助記憶装置Ｉ／Ｆ１０６が、バスにより結合された形態になっている。
【００２６】
ＣＰＵ１０１は、パーソナルコンピュータ１００の各部を制御し、メモリ１０２に照度計算プログラム２００とＣＡＤプログラム２２０をロードして実行する。
【００２７】
メモリ１０２は、いわゆる主記憶装置であり、通常、ＲＡＭなどの揮発メモリで構成され、ＣＰＵ１０１が実行する照度計算プログラム２００とＣＡＤプログラム２２０、参照するデータが記憶される。
【００２８】
ネットワークＩ／Ｆ１０３は、外部ネットワーク５０と接続するためのインタフェースである。
【００２９】
グラフィックＩ／Ｆ１０４は、ＬＣＤ（Liquid Crystal Display）などの表示装置２０を接続するためのインタフェースである。
【００３０】
入出力Ｉ／Ｆ１０５は、入出力装置を接続するためのインタフェースである。図１の例では、キーボード３１とポインティングデバイスのマウス３２が接続されている。
【００３１】
補助記憶装置Ｉ／Ｆ１０６は、ＨＤＤ（Hard Disk Drive）４１やＤＶＤドライブ（Digital Versatile Disk）４２などの補助記憶装置を接続するためのインタフェースである。
【００３２】
ＨＤＤ４１は、大容量の記憶容量を有しており、本実施形態を実行するための照度計算プログラム２００とＣＡＤプログラム２２０と、照度計算データベース２１０とＣＡＤデータベース２３０が格納されている。
【００３３】
ＤＶＤドライブ４２は、ＤＶＤやＣＤなどの光学ディスクにデータを書き込んだり、光学ディスクからデータを読み込んだりする装置である。
【００３４】
照度計算プログラム２００は、図２に示されるように、照度計算モジュール２０１、省エネ計算モジュール２０２、インポートモジュール２０３からなる。
【００３５】
照度計算モジュール２０１は、照明を設置する各部屋での照度を計算するモジュールである。
【００３６】
省エネ計算モジュール２０２は、特に、省エネルギーの照明情報計算するモジュールである。
【００３７】
インポートモジュール２０３は、照度マップ図データ２３２を、照度計算プログラム２００が利用できるように、インポートデータ２１４として取り込むモジュールである。
【００３８】
照度計算データベース２１０は、照度計算プログラム２００が参照するテーブルからなるデータベースであり、建屋データ２１１、器具光束値データ２１２、器具照明率データ２１３、インポートデータ２１４からなる。
【００３９】
建屋データ２１１は、照度を設置する建屋に関するデータである。
【００４０】
器具光束値データ２１２は、照明器具の光束などの照明器具の仕様に関するデータである。
【００４１】
器具照明率データ２１３は、室指数と各々の器具の照明率の対応を示すデータである。
【００４２】
インポートデータ２１４は、インポートモジュール２０３により、ＣＡＤマップ図データから取り込んだデータである。
【００４３】
ＣＡＤプログラム２２０は、ＣＡＤデータベース２３０を参照し、プラントの建屋の設計をおこなうプログラムである。
【００４４】
ＣＡＤデータベース２３０には、ＣＡＤデータ２３１、照度マップ図データ２３２が含まれる。
【００４５】
ＣＡＤデータ２３１は、コンピュータ上で設計をおこなうための元になるデータである。照度マップ図データ２３２は、各々の照度マップ図に付随するデータである。
【００４６】
本実施形態では、図２に示されるように、ＣＡＤデータベース２３０の照度マップ図データ２３２を、照度計算データベース２１０上のインポートデータ２１４として取り込むものである。
【００４７】
次に、図３ないし図５を用いて照度マップ図と、それに関連するデータの算出手順について説明する。
図３は、照度マップ図の一例を示す図である。
【００４８】
照度マップ図２４０は、図３に示されるように、室番号、部屋の形状、入室口、照明設備の配置が分かるようにした図である。この照度マップ図２４０には、付随データとして、照度マップ図データ２３２が含まれている。
【００４９】
照度マップ図データ２３２は、室番号、室名称、面積、間口、奥行、設計照度が含まれている。室番号は、部屋につけられた番号であり、室名称は、部屋につけられた名称である。本実施形態では、室番号は、「２」とし、室名称は、「非常用ＤＧ」であるとする。
【００５０】
面積は、ＣＡＤプログラムの面積算出機能により求められる各々の部屋の面積である。
【００５１】
間口は、ユーザが指定して、ＣＡＤプログラムの距離算出機能により求められる部屋の一辺を示す距離である。通常は、扉または出入り口のある辺を指定する。
【００５２】
奥行は、上述の（式４）で求められるように、面積を間口で割ったものであり、通常は、部屋の短辺になる。
【００５３】
本実施形態では、間口が「２．１ｍ」、奥行が「６．３ｍ」、面積が「１３．２ｍ２」になるものとする。
【００５４】
設計照度は、その部屋で求められる照度である。通常、原子力発電設備には、複数の照度が設定されるようにしている。本実施形態は三種類の照度が定義されることとし、「全般」と記すのは、交流電源で動作する照明器具の照度とし、「常・非」と記すのは、交流電源で動作する照明器具の内で、常時点灯していて、交流電源喪失時に設備内のディーゼル発電機などの非常電源で動作する照明器具の照度とし、「直流」と記すのは、直流電源で動作する照明器具の照度とする。
【００５５】
次に、図４および図５を用いてＣＡＤプログラムを利用して計算照度を求める手順について説明する。
図４は、各室の照度を求める処理を示すフローチャートである。
図５は、本発明の一実施形態による照度マップ図から部屋の間口と奥行を求める過程を説明する図である。
【００５６】
先ず、ＣＡＤプログラム２２０により、照度マップ図を作成する（Ｓ０１）。
【００５７】
そして、各部屋ごとに、室番号、室名称、設計照度を入力する（Ｓ０２）。
【００５８】
次に、図５（ａ）に示されるように、面積を算出する。先ず、ユーザは、対象となる部屋の内壁を区画して、その後、各部屋ごとにＣＡＤプログラム２２０の面積算出機能を利用して、各部屋ごとに面積を求める（Ｓ０３）。
【００５９】
次に、図５（ｂ）に示されるように、間口を指定し、ＣＡＤプログラム２２０の距離算出機能により間口を求める（Ｓ０４）。また、奥行は、（式４）で示したように、Ｓ０２で求めた面積を間口で割ることにより求められる。
【００６０】
次に、照度計算プログラム２００のインポートモジュール２０３により、照度マップ図データ２３２をインポートする（Ｓ０５）。
【００６１】
次に、対象となっている部屋の室指数を算出する（Ｓ０６）。室指数は、奥行、間口が分かっているときには、（式１）で求められる。
【００６２】
次に、ユーザは、照明器具の形式、灯数を入力する（Ｓ０７）。ここで、灯数は、三種類の照明器具の種類ごとに入力するものとする。これらは、後に説明する照度計算編集画面より入力する。
【００６３】
次に、照度計算プログラム２００は、入力された照明器具の形式と室指数に基づき照明率を求める（Ｓ０８）。
【００６４】
次に、照度計算プログラム２００は、光束法に基づき計算照度を算出する（Ｓ０９）。光束法による計算照度Ｅは、以下の（式５）で求められる（非特許文献１参照）。
【００６５】
Ｅ＝（Ｆ・Ｕ・Ｄ・Ｎ）／Ａ        …（式５）
ここで、Ｆ：ランプの光束、Ｕ：器具の照明率、Ｄ：保守率、Ｎ：灯数、Ａ：部屋の面積である。Ｆ：ランプの光束は、１灯あたりの定格光束である。Ｕ：器具の照明率は、ステップＳ０８で、照明器具の形式と室指数により求められた照明率である。Ｍ：保守率は、設計の対象となっている作業面での計算照度が、ある一定の期間で器具を使用した後でも維持できるように見込むための率である。この値は、ランプの種類、照明器具の構造、使用環境のほかに、ランプ交換やランプと照明器具の構造によっても違ってくる。この保守率は、部屋ごとに設定可能とする。Ｎ：灯数は、ランプの灯数であるから、照明器具の台数×器具の１台あたりの灯数に等しくなる。Ａ：部屋の面積は、間口×奥行で表される各部屋の面積である。
【００６６】
次に、ユーザは、ステップＳ０９で算出された計算照度を評価する（Ｓ１０）。部屋ごとに、望ましい設計照度が取り込まれているので、それが評価の基準とすることができる。
【００６７】
ユーザが計算照度を評価して、ＯＫだったときには、照度計算書を出力する（Ｓ１１）。
【００６８】
ユーザが計算照度を評価して、ＮＧだったときには、ステップＳ０７に戻り、照明器具の形式、灯数を再入力する。
【００６９】
次に、図６ないし図１５を用いて本発明の一実施形態に係る照度計算システムのユーザインタフェースについて説明する。
図６は、照度計算システムのメイン画面を示す図である。
図７は、照度マップ図データインポートダイアローグを示す図である。
図８は、照度計算編集画面を示す図である。
図９は、照明率編集画面を示す図である。
図１０は、建屋編集画面を示す図である。
図１１は、フロア編集画面を示す図である。
図１２は、設定値編集画面を示す図である。
図１３は、光束値編集画面を示す図である。
図１４は、照度計算書表示画面を示す図である。
図１５は、省エネ計算書表示画面を示す図である。
【００７０】
照度計算システムのメイン画面３００は、建屋と対象となる階数を指定し、各機能を選択する画面である。
【００７１】
建屋入力メニュー３０１は、原子力プラントの中の建屋を指定する。図６の例では、ＣＢは、コントロール建屋を意味する。
【００７２】
階数メニュー３０２は、建屋の中の階数を指定する。図６の例では、１Ｆ（Ｔ．Ｐ．１２３００）が指定されている。ここで、Ｔ．Ｐ．１２３００は、地表高さである。
【００７３】
照度計算編集ボタン３０３は、照度計算編集画面を呼びだすボタンである。
【００７４】
建屋編集ボタン３０４は、建屋編集画面を呼びだすボタンである。
【００７５】
フロア編集ボタン３０５は、フロア編集画面を呼びだすボタンである。
【００７６】
設定値編集ボタン３０６は、設定値編集画面を呼びだすボタンである。
【００７７】
光束値編集ボタン３０７は、光束値編集画面を呼びだすボタンである。
【００７８】
照明率編集ボタン３０８は、照明率編集画面を呼びだすボタンである。
【００７９】
照度計算書ボタン３１０は、照度計算書表示画面を表示するボタンである。
【００８０】
省エネ計算書ボタン３１１は、省エネ計算書表示画面を表示するボタンである。
【００８１】
インポートボタン３２０は、照度マップ図データインポートダイアローグ４００を呼びだすボタンである。
【００８２】
照度マップ図データインポートダイアローグ４００は、照度マップ図データを取り込むために、ファイル名を指定するダイアローグであり、図７に示されるように、建屋と階数に対応する照度マップ図データのファイル名を指定する。本実施形態では、ファイル名の生成規則としては、建屋と階数の入力した文字列を連結した「ＣＢ１Ｆ（Ｔ．Ｐ．１２３００）」となっている。
【００８３】
照度計算編集画面５００は、照度計算のために取り込んだ値を表示し、必要な値を入力する画面である。
【００８４】
照度計算編集画面５００は、図８に示されるように、メイン情報表示エリア５１０、室情報表示エリア５２０、付随情報入力エリア５３０、器具情報表示入力エリア５４０、結果表示エリア５５０からなる。
【００８５】
メイン情報表示エリア５１０には、メイン画面より引き継いだ建屋、階数などの情報が表示される。
【００８６】
室情報表示エリア５２０には、ＣＡＤマップ図データから取り込んだインポートデータが表示される。図８の例では、室番号：「２」、室名称：「非常用ＤＧ」、設計照度（全般、常・非、直流）：「２００、１０、１」、間口：「２．１」、奥行：「６．３」が表示されている。面積は、間口×奥行で求められて、面積：「１３．２」が表示されている。
【００８７】
付随情報入力エリア５３０には、照度計算、省エネ計算のために必要なデータを入力することができる。図８の例では、工事エリア：「ａ３」、保守率：「０．６」、カテゴリ：「４」、年間照明点灯時間：４５００、制御補正係数：１．０、種類補正係数：１．０、照度補正係数：１．０が入力されている。
【００８８】
この内で、保守率は、照度計算のために用いられ、カテゴリ〜照度補正係数は、省エネ計算のために用いられる。
【００８９】
器具情報表示入力エリア５４０には、照明器具ごとの入力される情報と算出される値が表示される。
【００９０】
図８の例では、型式：「Ｃ１」、高さ：「３．００」、室指数：「０．５３」、全光束：「３５２０」、照明率：「０．３０」、最小灯数（全般、常・非、直流）：「５、１、１」、灯数（全般、常・非、直流）：「５、１、０」、計算照度（全般、常・非、直流）：「２３９．４、４７．８、０．０」が表示されている。
【００９１】
型式は、照明器具の型式を表すコードである。高さは、照明器具を設置する高さであり、室指数を求めるときに用いられる。全光束は、照明器具の光束量である。照明率は、この型式の照明器具の照明率であり、室指数から求められる。最小灯数は、全般、常・非、直流の各照明種類ごとに、この型式の照明器具が室情報表示エリア５２０に表示されている設計照度を満たすための最小の照明器具の灯数である。灯数は、全般、常・非、直流の各照明種類ごとに、ユーザが入力した灯数である。計算照度は、全般、常・非、直流の各照明種類ごとに、ユーザが入力した灯数により、（式５）に基づいて求められる計算照度である。
【００９２】
結果表示エリア５５０は、ユーザが入力した灯数と計算した計算照度を結果として表示するエリアであり、計算照度が室情報表示エリア５２０に表示されている設計照度を満たないときには、例えば、赤色で文字を表示しユーザの警告とする。
【００９３】
メイン情報表示エリア５１０、室情報表示エリア５２０、付随情報入力エリア５３０、器具情報表示入力エリア５４０、結果表示エリア５５０は、あわせて、１ページとなり、異なるページに移動するときに、画面下段の前ページ移動ボタン５６１、次ページ移動ボタン５６３をクリックする。ページ番号は、ページ番号表示エリア５６２に表示される。
【００９４】
照明率編集画面６００は、照明器具の型式ごとに各室指数に対する照明率を示した画面であり、図９に示すように、照明器具の型式表示エリア６０１、室指数入力エリア６０２、室指数入力エリア６０２に対応する照明率入力エリア６０３からなる。
【００９５】
照明率編集画面６００は、照明器具の型式ごとに表示され、画面下段のレコード移動ボタンにより、表示する照明器具の型式を切り換えることができる。室指数は、最小値（ｍｉｎ）から最大値（ｍａｘ）のレンジで指定される。
【００９６】
照度計算データベース２１０の中の器具照明率データ２１３の中に、この照明率編集画面６００を反映した室指数と照明率の対応テーブルが、各照明器具の型式ごとに作られる。
【００９７】
建屋編集画面７００は、図１０に示されるように、建屋のコードと名称を対応付けて編集する画面である。照度計算データベース２１０の中の建屋データ２１１の中に、この建屋編集画面７００を反映したテーブルが作られる。
【００９８】
フロア編集画面８００は、図１１に示されるように、建屋のコードと各階の構成を対応付けて編集する画面である。照度計算データベース２１０の中の建屋データ２１１の中に、このフロア編集画面８００を反映したテーブルが作られる。
【００９９】
設定値編集画面９００は、図１２に示されるように、各種の設定値を入力する画面である。図２には特に図示しなかったが、照度計算データベース２１０の中に、この設定値編集画面９００を反映したテーブルが作られる。
【０１００】
光束値編集画面１０００は、図１３に示されるように、各照明器具の型式ごとに、器具の仕様を対応付けて編集する画面である。
【０１０１】
照度計算データベース２１０の中の器具光束値データ２１２の中に、この光束値編集画面１０００を反映したテーブルが作られる。
【０１０２】
照度計算書表示画面１１００は、図１４に示されるように、各部屋ごとに照度計算の結果を詳細に表示する画面である。
【０１０３】
省エネ計算書表示画面１２００は、図１５に示されるように、各部屋ごとに計算された省エネルギーの指標と成る照明エネルギー消費係数（ＣＥＣ／Ｌ，Coefficient of Energy Consumption for Lighting）を表示し、省エネルギーの度合いを評価する省エネ計算書を表示する画面である。
【０１０４】
照明エネルギー消費係数ＣＥＣ／Ｌは、以下の（式６）で与えられる。
【０１０５】
ＣＥＣ／Ｌ＝（ΣＷＴ×Ａ×Ｔ×ＦＴ）／（ΣＷＳ×Ａ×Ｔ×Ｑ１×Ｑ２）  …（式６）
ここで、ＷＴ：照明消費電力［Ｗ／ｍ２］、ＷＳ：標準照明消費電力［Ｗ／ｍ２］、Ａ：室面積［ｍ２］、Ｔ：年間照明点灯時間［ｈ／年］、ＦＴ：照明設備の制御補正係数、Ｑ１：照明設備の種類補正係数、Ｑ２：照明設備の照度補正係数である。
【０１０６】
また、Σは、部屋の中で使用されている各照明器具ごとに各項を計算して、総和をとることを意味している。
【符号の説明】
【０１０７】
１００…パーソナルコンピュータ、１０１…ＣＰＵ（Central Processing Unit）、１０２…メモリ、１０３…ネットワークＩ／Ｆ、１０４…グラフィックＩ／Ｆ、１０５…入出力Ｉ／Ｆ、１０６…補助記憶装置Ｉ／Ｆ、
３１…キーボード、３２…マウス、４１…ＨＤＤ（Hard Disk Drive）、４２…ＤＶＤドライブ（Digital Versatile Disk）、５０…外部ネットワーク、
２００…照度計算プログラム、２１０…照度計算データベース、２２０…ＣＡＤプログラ  ム、２３０…ＣＡＤデータベース。
【図１】
2012098877.tif 000003
【図２】
2012098877.tif 000004
【図３】
2012098877.tif 000005
【図４】
2012098877.tif 000006
【図５】
2012098877.tif 000007
【図６】
2012098877.tif 000008
【図７】
2012098877.tif 000009
【図８】
2012098877.tif 000010
【図９】
2012098877.tif 000011
【図１０】
2012098877.tif 000012
【図１１】
2012098877.tif 000013
【図１２】
2012098877.tif 000014
【図１３】
2012098877.tif 000015
【図１４】
2012098877.tif 000016
【図１５】
2012098877.tif 000017
【図１６】
2012098877.tif 000018